(57)【要約】  【課題】  長寿命化を図ることができるとともに、コストの低廉化を図ることができる掘削機の泥土飛散防止装置を得ることを目的とする。  【解決手段】  本発明は地盤を掘削する掘削機４の作動時に掘削ロッド５からの泥土の飛散を防止するための泥土飛散防止装置１であって、該泥土飛散防止装置１は地盤近傍に配設されている下部振止め部材９に骨組２を組立て、該骨組２の外側面に装着され、且つ、掘削機４の非運転席側部を覆うようにメッシュカバーシート３が設けられて成るものである。【選択図】図２
2006132259.tif 000002
【特許請求の範囲】
【請求項１】
地盤を掘削する掘削機であって、該掘削機は２軸又はそれ以上から成る掘削ロッドを有し、且つ、該掘削ロッドからの泥土の飛散を防止するために設置された泥土飛散防止装置に於いて、前記掘削ロッド相互間の干渉を防止するために地盤近傍に設けられている振止め部材の外側に骨組を取付け、該骨組に前記掘削機の非運転席側部を覆うメッシュカバーシートを装着したことを特徴とする掘削機の泥土飛散防止装置。
【請求項２】
上記骨組は組立・分解可能に形成されて成り、該骨組に上記メッシュカバーシートが着脱可能に取付けられていることを特徴とする請求項１記載の掘削機の泥土飛散防止装置。
【発明の詳細な説明】
【技術分野】
【０００１】
本発明は掘削機の泥土飛散防止装置に関する。
【背景技術】
【０００２】
掘削機によって地盤を掘削する場合、掘削ロッドからその周囲に泥土が飛散するため、泥土の飛散を防止する手段として泥土飛散防止用のカバーシートが用いられている。
【０００３】
従来、此種泥土飛散防止用のカバーシートには２軸又はそれ以上から成る掘削ロッドを取り囲む補強リング付きの蛇腹状カーテン式のカバーシートと、このカバーシートの周囲に補強リングを挿通して垂下する重錘付きの案内ロープとを備えたものが提案されている（例えば特許文献１参照）。
【０００４】
このような泥土飛散防止用カバーシートに於いては、掘削ロッドの進行（掘進）或いは退避（引き上げ）に追随してカバーシートが収縮或いは伸長するため、掘削時に掘削ロッドの外周部が覆われ、これにより掘削ロッド周囲への泥土の飛散が防止される。
【特許文献１】特許第２８３５１８８号公報（図１、図５）
【発明の開示】
【発明が解決しようとする課題】
【０００５】
然るに、従来の泥土飛散防止用カバーシートは、伸縮自在に設けられているため該カバーシートが消耗して損傷する虞れがある。このため、長期間にわたる使用が困難となり、長寿命化を図ることができないという課題があった。又、掘削ロッドを覆うカバーシートが蛇腹状カーテン式であるとともに、該カバーシートの組立時にはカバーシートの補強リングに案内ロープを挿通させる作業が必要であるため、カバーシートの形状及び組立構造が複雑になり、コストが嵩むという課題もあった。
【０００６】
本発明は、このような事情に鑑みてなされたもので、泥土飛散防止を効率良く実行でき、且つ、長寿命化を図ることができるとともに、コストの低廉化を図ることができる掘削機の泥土飛散防止装置を提供することを目的とする。
【課題を解決するための手段】
【０００７】
上記目的を達成するために、請求項１記載の発明は、地盤を掘削する掘削機であって、該掘削機は２軸又はそれ以上から成る掘削ロッドを有し、且つ、該掘削ロッドからの泥土の飛散を防止するために設置された泥土飛散防止装置に於いて、前記掘削ロッド相互間の干渉を防止するために地盤近傍に設けられている振止め部材の外側に骨組を取付け、該骨組に前記掘削機の非運転席側部を覆うメッシュカバーシートを装着した掘削機の泥土飛散防止装置を提供するものである。
【０００８】
この構成によれば、装置が固定式であるため、従来のようにカバーシート等の構成部品が消耗して損傷する虞れがなくなる。
【０００９】
又、掘削ロッドを覆うメッシュカバーシートが非伸縮式であるとともに、骨組に該メッシュカバーシートを取り付けることによりメッシュカバーシートの組立を実行することが可能であるため、該メッシュカバーシート形状及び組立構造が簡単なものとなる。
【００１０】
更に、掘削機の運転席側部がメッシュカバーシートによって覆われていないため、運転者及び作業者によって掘削ロッド及び攪拌スクリューを常に視認することが可能となる。
【００１１】
又、上記メッシュカバーシートが非メッシュ部材からなるカバーシートと比較して風圧を受け難くなるため、掘削時に攪拌スクリューによるメッシュカバーシートの巻き込みが抑制される。
【００１２】
請求項２記載の発明は、上記骨組は組立・分解可能に形成されて成り、該骨組に上記メッシュカバーシートが着脱可能に取付けられている掘削機の泥土飛散防止装置を提供する。
【００１３】
この構成によれば、骨組が組立・分解可能となるとともに、メッシュカバーシートが着脱可能となるため、非使用時には組立状態の泥土飛散防止装置が分解によって複数の構成部品となる。
【発明の効果】
【００１４】
請求項１記載の発明は、泥土飛散防止装置のメッシュカバーシートが骨組に固定されて装着されるため、従来の泥土飛散防止装置に比し、構成部品が消耗して損傷する虞れがなくなる。このため長期間にわたって泥土飛散防止装置を使用することができ、長寿命化を図ることができると共に泥土飛散防止を効率良く実行できる。
【００１５】
又、請求項１記載の発明は、掘削ロッドを覆うメッシュカバーシートが非伸縮式であるとともに、骨組に該メッシュカバーシートを取り付けることにより泥土飛散防止装置の組立を実行することが可能であるため、前記メッシュカバーシート形状及び泥土飛散防止装置の組立構造が簡単なものとなり、コストの低廉化を図ることができる。
【００１６】
更に、請求項１記載の発明は、掘削機の運転席側部がメッシュカバーシートによって覆われていないため、運転者及び作業者によって掘削ロッド及び攪拌スクリューを常に視認することが可能となり、掘削上の作業性を高めることができる。
【００１７】
更に又、前記メッシュカバーシートが非メッシュ部材からなるカバーシートと比較して風圧を受け難くなるため、掘削時に攪拌スクリューによるメッシュカバーシートの巻き込みが抑制され、メッシュカバーシートの攪拌スクリューへの巻き込み事故発生を未然に防止することができる。
【００１８】
請求項２記載の発明は、骨組が組立・分解可能となるとともに、メッシュカバーシートが着脱可能となるため、非使用時には組立状態の泥土飛散防止装置が分解によって複数の構成部品となり、請求項１記載の発明の効果に加え、泥土飛散防止装置の搬送・保管作業の簡素化を図ることができる。
【発明を実施するための最良の形態】
【００１９】
本発明は、地盤を掘削する掘削機であって、該掘削機は２軸又はそれ以上から成る掘削ロッドを有し、且つ、該掘削ロッドからの泥土の飛散を防止するために設置された泥土飛散防止装置に於いて、前記掘削ロッド相互間の干渉を防止するために地盤近傍に設けられている振止め部材の外側に骨組を取付け、該骨組に前記掘削機の非運転席側部を覆うメッシュカバーシートを装着した掘削機の泥土飛散防止装置を提供することにより、該泥土飛散防止装置の長寿命化及びコストの低廉化が図れることを実現した。
【実施例】
【００２０】
以下、本発明における掘削機の泥土飛散防止装置を図１乃至図５に示す好適な実施例図に基づいて説明する。図１は本発明の実施形態に係る掘削機の泥土飛散防止装置の使用状態を示す正面図である。図２は、本発明の実施形態に係る掘削機の泥土飛散防止装置を説
明するために示す図であって、図２（ａ）は正面図であり、図２（ｂ）は側面図である。図３は、本発明の実施形態に係る掘削機の泥土飛散防止装置の構造物を説明するために示す図であって、図３（ａ）は正面図であり、図３（ｂ）は側面図である。図４は図１のＡ−Ａ線断面図である。図５は本発明の実施形態に係る掘削機の泥土飛散防止装置のカバーシートを説明するために示す断面図である。
【００２１】
図１〜図３において、符号１で示す泥土飛散防止装置は骨組２及び泥土飛散防止用のメッシュカバーシート３を備え、全体が図４に示すように無頭・無底筒（上下方向に開口する筒体）の周方向一部（掘削機の運転席側）を切り欠いたような形状を有している。そして、地盤Ｅを掘削する掘削機４の非運転席側部（前記運転席側を除くエリア）を覆い、掘削時に掘削ロッド５から非運転席側部への泥土の飛散を防止するように構成されている。
【００２２】
尚、本実施形態に示す掘削機４は、図１に示すように、マスト（図示せず）のリード面に沿って昇降する３本の掘削ロッド５を備えた多軸掘削機について説明している。各掘削ロッド５は掘削ヘッド５ａ及び攪拌スクリュー５ｂを有し、そのロッド下端部に於いて、互いにスクリュー用連結軸受６によって連結されている。そして、減速機付回転駆動装置７によって回転するように構成されており、更に、該掘削ロッド５の上下端部にはそれぞれ中間振止め部材８及び下部振止め部材９が取り付けられている。両振止め部材８，９はマストにガイド１０（図２〜図４に示す）を介して昇降自在に配設されている。又、両振止め部材８，９は減速機付回転駆動装置７と共にマストに吊設されている。
【００２３】
前記骨組２は、図２及び図３に示すように上下２つの構造物２Ａ，２Ｂを有する組立・分解可能な構造物からなり、直管及び曲管を格子状に組み合わせて形成されている。これにより組立状態の骨組２が２つの構造物２Ａ，２Ｂに分解され、また分解状態の各構造物２Ａ，２Ｂが単一の骨組２に組み立てられるように構成されている。
【００２４】
一方の構造物２Ａ（下方の構造物）は３本の掘削ロッド５の周囲に配設され、且つ、地盤Ｅに配設されている。構造物２Ａには取付プレート１１（図２〜図４に示す）及びボルト（図示せず）を用いて下部振止め部材９が固定されている。他方の構造物２Ｂ（上方の構造物）は前記構造物２Ａと同様に３本の掘削ロッド５の周囲に配設され、且つ、構造物２Ａ上にジョイント１２を介して配設されている。構造物２Ｂの上端部には左右方向に並列する２つの吊ピース２ｂ，２ｂが取り付けられている。
【００２５】
メッシュカバーシート３は図２及び図５に示すように、第１メッシュカバーシート１３及び第２メッシュカバーシート１４とからなり、骨組２に着脱可能に取り付けられ、３本の掘削ロッド５の非運転席側部を覆うように構成されている。このメッシュカバーシート３が骨組２に対して装着可能であり、また骨組２から離脱可能であることは泥土飛散防止装置の非使用時には分解によって複数の構成部品となるため、泥土飛散防止装置の搬送・保管作業の簡素化を図ることができる。
【００２６】
第１メッシュカバーシート１３は、シート端縁に係止孔（図示せず）を有する上下２つのメッシュシートからなり、それぞれ構造物２Ａ，２Ｂ（ジョイント１２）の外側部に係止紐（図示せず）を用いて張設されている。これにより、掘削ロッド５から飛散する泥土が構造物２Ａ，２Ｂの透かし部を通過しても、泥土飛散防止装置１の非運転席側部への泥土の飛散が防止される。又、第１メッシュカバーシート１３は布等の非メッシュ部材からなるカバーシートと比較して風圧を受け難くなるため、掘削時に攪拌スクリュー５ｂ（図１に示す）による第１メッシュカバーシート１３の巻き込みが抑制され、該第１カバーシート１３の攪拌スクリュー５ｂへの巻き込み事故発生を未然に防止することができる。
【００２７】
第２メッシュカバーシート１４は、第１メッシュカバーシート１３にジョイント１２を
覆うように取り付けられている。
【００２８】
以上の構成により、本実施形態に示す泥土飛散防止装置１は地盤Ｅ上に立設される固定式であるため、従来のように構成部品が消耗して損傷する虞れがなくなる。このため、長期間にわたって泥土飛散防止装置１を使用することができ、長寿命化を図ることができる。
【００２９】
又、本実施形態においては、掘削ロッド５を覆う第１メッシュカバーシート１３及び第２メッシュカバーシート１４が非伸縮式であるとともに、骨組２に第１メッシュカバーシート１３及び第２メッシュカバーシート１４を取り付けることにより泥土飛散防止装置の組立を実行することが可能であるため、該メッシュカバーシート形状及び組立構造が簡単なものとなり、コストの低廉化を図ることができる。
【００３０】
更に、本実施形態においては、掘削ロッド５の運転席側部が第１メッシュカバーシート１３及び第２メッシュカバーシート１４によって覆われていないため、運転者及び作業者によって掘削ロッド５及び攪拌スクリュー５ｂを常に視認することが可能となり、掘削上の作業性を向上させることができる。
【００３１】
尚、本実施形態においては、骨組２が上下２つの構造物２Ａ，２Ｂからなる場合について説明したが、本発明はこれに限定されず、その個数については掘削ロッド５のロッド長等に応じて適宜変更することができる。
【００３２】
又、本実施形態においては、多軸掘削機に適用される場合について説明したが、本発明はこれに限定されず、単軸掘削機にも本実施形態と同様に適用することも可能であり、その他、本発明は、本発明の精神を逸脱しない限り種々の改変を為すことができ、そして、本発明が該改変されたものに及ぶことは当然である。
【図面の簡単な説明】
【００３３】
【図１】本発明の実施形態に係る掘削機の泥土飛散防止装置の使用状態を示す正面図。
【図２】（ａ）本発明の実施形態に係る掘削機の泥土飛散防止装置の正面図。
【００３４】
（ｂ）図２（ａ）の側面図。
【図３】（ａ）本発明の実施形態に係る掘削機の泥土飛散防止装置の構造物を示す正面図。
【００３５】
（ｂ）図３（ａ）の側面図。
【図４】図１のＡ−Ａ線断面図。
【図５】本発明の実施形態に係る掘削機の泥土飛散防止装置のカバーシートを説明するために示す断面図。
【符号の説明】
【００３６】
１      泥土飛散防止装置
２      骨組
２Ａ    下方の構造物
２Ｂ    上方の構造物
３      メッシュカバーシート
４      掘削機
５      掘削ロッド
５ａ    掘削ヘッド
５ｂ    攪拌スクリュー
６      スクリュー用連結軸受
７      減速機付回転駆動装置
８      中間振止め部材
９      下部振止め部材
１０      ガイド
１１      取付プレート
１２      ジョイント
１３      第１メッシュカバーシート
１４      第２メッシュカバーシート
【図１】
2006132259.tif 000003
【図２】
2006132259.tif 000004
【図３】
2006132259.tif 000005
【図４】
2006132259.tif 000006
【図５】
2006132259.tif 000007